(57)【特許請求の範囲】
【請求項１】
予め並び順が規定されている複数の操作入力項目の一部を表示する表示部と、
前記一部の位置を、前記並び順の方向に従って移動させる移動指示操作および、前記操作入力項目に対する設定操作を受け付ける操作部と、
前記操作部で前記移動指示操作を受けた場合に、前記設定操作を受けて設定済みの操作入力項目と禁則関係にある操作入力項目を表示せず、当該表示されない操作入力項目の位置に、前記移動の方向の下流側にあり且つ前記表示されない操作入力項目に隣接していた操作入力項目を移動して表示させる制御を行う制御部と、
を備え、
前記制御部は、
前記設定済みの操作入力項目と禁則関係にある一の操作入力項目に対して前記移動の方向に直交する方向に、前記設定済みの操作入力項目と禁則関係にない操作入力項目がない場合、前記移動の際に前記一の操作入力項目を表示せず、
前記設定済みの操作入力項目と禁則関係にある一の操作入力項目に対して前記移動の方向に直交する方向に、前記設定済みの操作入力項目と禁則関係にない操作入力項目がある場合、前記移動の際に前記一の操作入力項目を表示する
ことを特徴とする操作表示装置。
【請求項２】
前記制御部は前記設定済みの操作入力項目と禁則関係にある操作入力項目を、スキップ、または周囲の表示領域ごと削除することで、表示しない
ことを特徴とする請求項１に記載の操作表示装置。
【請求項３】
前記複数の操作入力項目は、前記移動の方向に沿った列が前記移動の方向に直交する方向に複数並ぶように配列されており、
前記制御部は、前記設定済みの操作入力項目と禁則関係にある一の操作入力項目に対して前記移動の方向に直交する方向に、前記設定済みの操作入力項目と禁則関係にある操作入力項目のみがある場合に、前記移動の際に前記一の操作入力項目を前記表示されない操作入力項目として前記制御を行う
ことを特徴とする請求項１または２に記載の操作表示装置。
【請求項４】
予め並び順が規定されている複数の操作入力項目の一部を表示する表示部と、
前記一部の位置を、前記並び順の方向に従って移動させる移動指示操作および、前記操作入力項目に対する設定操作を受け付ける操作部と、
前記操作部で前記移動指示操作を受けた場合に、前記設定操作を受けて設定済みの操作入力項目と禁則関係にある操作入力項目の表示時間が、他の操作入力項目の表示時間よりも短くなるように前記移動を行わせる制御部と、
ユーザの視線を検出する検出部と、
を備え、
前記制御部は、前記操作入力項目をスクロールさせることで前記移動を行わせ、前記設定済みの操作入力項目と禁則関係にある操作入力項目を、他の操作入力項目をスクロールさせる第１速度より速い第２速度でスクロールさせることで前記表示時間を短くし、前記スクロール中に、前記表示部に対するユーザの視線が検出されない場合は、前記設定済みの操作入力項目と禁則関係にある操作入力項目を、前記第２速度よりも速い第３速度でスクロールさせる
ことを特徴とする操作表示装置。
【請求項５】
請求項１乃至４のいずれか１つに記載の操作表示装置と、
前記操作表示装置で受けた設定で画像処理を行う画像処理部と、
を備える
ことを特徴とする画像処理装置。
【請求項６】
表示部と操作部を備える情報処理装置を、請求項１乃至４のいずれか１つに記載の操作表示装置として機能させるプログラム。
【請求項７】
表示部と操作部と画像処理部を備える情報処理装置を、請求項５に記載の画像処理装置として機能させるプログラム。
【請求項８】
予め並び順が規定されている複数の操作入力項目うち、表示部に表示する一部の位置を、前記並び順の方向に従って移動させる移動指示操作および、前記操作入力項目に対する設定操作を操作部で受け付ける操作ステップと、
前記操作ステップで前記移動指示操作を受けた場合に、前記設定操作を受けて設定済みの操作入力項目と禁則関係にある操作入力項目を表示せず、当該表示されない操作入力項目の位置に、前記移動の方向の下流側にあり且つ前記表示されない操作入力項目に隣接していた操作入力項目を移動して表示させる制御を行う表示ステップと、
を有し、
前記表示ステップでは、
前記設定済みの操作入力項目と禁則関係にある一の操作入力項目に対して前記移動の方向に直交する方向に、前記設定済みの操作入力項目と禁則関係にない操作入力項目がない場合、前記移動の際に前記一の操作入力項目を表示せず、
前記設定済みの操作入力項目と禁則関係にある一の操作入力項目に対して前記移動の方向に直交する方向に、前記設定済みの操作入力項目と禁則関係にない操作入力項目がある場合、前記移動の際に前記一の操作入力項目を表示する
ことを特徴とする操作表示方法。
【請求項９】
前記表示ステップでは、前記設定済みの操作入力項目と禁則関係にある操作入力項目を、スキップ、または周囲の表示領域ごと削除することで、表示しない
ことを特徴とする請求項８に記載の操作表示方法。
【請求項１０】
前記複数の操作入力項目は、前記移動の方向に沿った列が前記移動の方向に直交する方向に複数並ぶように配列されており、
前記表示ステップでは、前記設定済みの操作入力項目と禁則関係にある一の操作入力項目に対して前記移動の方向に直交する方向に、前記設定済みの操作入力項目と禁則関係にある操作入力項目のみがある場合に、前記移動の際に前記一の操作入力項目を前記表示されない操作入力項目として前記制御を行う
ことを特徴とする請求項８または９に記載の操作表示方法。
【請求項１１】
予め並び順が規定されている複数の操作入力項目うち、表示部に表示する一部の位置を、前記並び順の方向に従って移動させる移動指示操作および、前記操作入力項目に対する設定操作を操作部で受け付ける操作ステップと、
前記操作ステップで前記移動指示操作を受けた場合に、前記設定操作を受けて設定済みの操作入力項目と禁則関係にある操作入力項目の表示時間が、他の操作入力項目の表示時間よりも短くなるように前記一部を前記表示部に表示する表示ステップと、
ユーザの視線を検出するステップと、
を有し、
前記表示ステップでは、前記操作入力項目をスクロールさせることで前記移動を行わせ、前記設定済みの操作入力項目と禁則関係にある操作入力項目を、他の操作入力項目をスクロールさせる第１速度より速い第２速度でスクロールさせることで前記表示時間を短くし、前記スクロール中に、前記表示部に対するユーザの視線が検出されない場合は、前記設定済みの操作入力項目と禁則関係にある操作入力項目を、前記第２速度よりも速い第３速度でスクロールさせる
ことを特徴とする操作表示方法。
【発明の詳細な説明】
【技術分野】
【０００１】
本発明は、予め並び順が規定されている複数の設定項目のうち一部を表示し、その一部の位置をスクロールや画面遷移によって移動させる操作表示装置、画像処理装置、およびそのプログラム、操作表示方法に関する。
【背景技術】
【０００２】
従来、印刷機やプリント、スキャン、コピー、ファックス機能を備える複合機などの画像形成装置では、本体に設置された操作パネル等を利用して印刷設定などの設定が行われる。
【０００３】
印刷設定などの設定は、複数の設定操作によって行われる。ユーザから複数の設定操作を受け付ける際に、組み合わせて設定することが禁止されている項目が互いに設定された場合、すなわち、禁則関係にある項目が互いに設定された場合、画像形成装置は、設定操作の受け付けを中断したり、印刷の開始を禁止したりする。禁則関係とは、たとえば、複合機において、個々の機能は実行できるが、組み合わせると実行不可能となる機能の組み合わせのことである。
【０００４】
なお、禁則関係にある項目同士を組み合わせた設定を禁則設定と呼ぶものとする。たとえば、禁則関係にある項目Ａと項目Ｂを組み合わせて設定すると禁則設定が発生する。
【０００５】
禁則設定に係る技術としては、たとえば、特許文献１には、自機が備える機能を示す設定項目の釦をスクロール表示する画像形成装置において、ある設定項目が設定されていた場合、その設定項目と禁則関係にある設定項目の釦のスクロール速度を、他の設定項目の釦のスクロール速度より遅くしてスクロール表示することで、当該設定項目を設定した場合に禁則設定が発生することを、ユーザに注意喚起する技術が開示されている（特許文献１参照）。
【０００６】
ところで、近年、複合機は多機能化が進んでおり、設定操作の対象となる設定項目が数多くある。ただし、操作パネル（表示部）の大きさには限度があることから、全ての設定項目（設定項目の釦）を、ユーザが視認できる大きさで一度に表示することは難しい。そこで、一般的に複合機は、複数の設定項目の一部を表示し、その一部の位置を移動させることで、各設定項目を表示するとともに、表示中の設定項目への設定操作を受け付ける。一部の位置を移動させる方法としては、たとえば、表示画面に収まりきらない設定項目等を上下又は左右にスライドさせて表示させる、いわゆる、スクロール表示や、画面遷移などがある。
【先行技術文献】
【特許文献】
【０００７】
【特許文献１】特開２０１２−００６２６３号公報
【発明の概要】
【発明が解決しようとする課題】
【０００８】
しかし、スクロール表示や画面遷移を行う際には、ユーザにとって必要な設定項目だけでなく不必要な設定項目も表示部に表示される。そして、不必要な設定項目の数が多ければ多いほど、必要な設定項目を見つけ出して設定操作を行うのに手間がかかり、ユーザに煩わしさを与えていた。そこで、この手間を軽減することが望まれる。
【０００９】
上記の特許文献１に開示の発明は、設定済みの設定項目と禁則関係にある設定項目の表示時間を増やすことで、当該設定項目を設定した場合に禁則設定が発生することを、ユーザに注意喚起するものである。よって、特許文献１は前述の問題に対応していない。
【００１０】
本発明は、上記の問題を解決するものであり、目的の操作入力項目を探すユーザの負担を軽減することのできる操作表示装置、画像処理装置、およびそのプログラム、操作表示方法を提供することを目的としている。
【課題を解決するための手段】
【００１１】
かかる目的を達成するための本発明の要旨とするところは、次の各項の発明に存する。
【００１２】
［１］予め並び順が規定されている複数の操作入力項目の一部を表示する表示部と、
前記一部の位置を、前記並び順の方向に従って移動させる移動指示操作および、前記操作入力項目に対する設定操作を受け付ける操作部と、
前記操作部で前記移動指示操作を受けた場合に、前記設定操作を受けて設定済みの操作入力項目と禁則関係にある操作入力項目表示せず、当該表示されない操作入力項目の位置に、前記移動の方向の下流側にあり且つ前記表示されない操作入力項目に隣接していた操作入力項目を移動して表示させる制御を行う制御部と、
を備え、
前記制御部は、
前記設定済みの操作入力項目と禁則関係にある一の操作入力項目に対して前記移動の方向に直交する方向に、前記設定済みの操作入力項目と禁則関係にない操作入力項目がない場合、前記移動の際に前記一の操作入力項目を表示せず、
前記設定済みの操作入力項目と禁則関係にある一の操作入力項目に対して前記移動の方向に直交する方向に、前記設定済みの操作入力項目と禁則関係にない操作入力項目がある場合、前記移動の際に前記一の操作入力項目を表示する
ことを特徴とする操作表示装置。
【００１３】
上記発明は、予め並び順が規定されている複数の操作入力項目の一部を表示部に表示し、その一部の位置（表示位置）を該並び順の方向に従って移動させる移動指示操作を受けたら、既に設定操作を受けて設定済みの操作入力項目と禁則関係にある操作入力項目を表示せず、当該表示されない操作入力項目の位置に、移動方向の下流側にあり且つ表示されない操作入力項目に隣接していた操作入力項目を移動して表示させる制御を行う。たとえば、設定済みの操作入力項目と禁則関係にある操作入力項目の表示をスキップする。表示位置を移動させる際に、設定済みの操作入力項目と禁則関係にある操作入力項目よりも並び順が後ろの操作入力項目が表示されるまでにかかる時間が短くなり、これにより、目的の操作入力項目を探すユーザの負担を軽減する。該移動は、表示位置をスライドさせる方法でも、一定量ずつ一気に遷移する方法でもよい。たとえば、複数の操作入力項目が、複数の画面に分けて配置され、そのうちの一の画面が表示される場合における画面遷移も該移動に該当する。
【００１５】
［２］前記制御部は前記設定済みの操作入力項目と禁則関係にある操作入力項目を、スキップ、または周囲の表示領域ごと削除することで、表示しない
ことを特徴とする［１］に記載の操作表示装置。
【００１６】
上記発明は、設定済みの操作入力項目と禁則関係にある操作入力項目を、スキップ、または周囲の表示領域ごと削除する。これにより、スキップまたは周囲の表示領域ごと削除させた操作入力項目より並び順が後ろの操作入力項目を、早期に表示させることができる。
【００１７】
［３］前記複数の操作入力項目は、前記移動の方向に沿った列が前記移動の方向に直交する方向に複数並ぶように配列されており、
前記制御部は、前記設定済みの操作入力項目と禁則関係にある一の操作入力項目に対して前記移動の方向に直交する方向に、前記設定済みの操作入力項目と禁則関係にある操作入力項目のみがある場合に、前記移動の際に前記一の操作入力項目を前記表示されない操作入力項目として前記制御を行う
ことを特徴とする［１］または［２］に記載の操作表示装置。
【００１８】
上記発明では、複数の操作入力項目を、複数の列が並行に並ぶように配置し、その列に沿って表示位置を移動させる。そして、設定済みの操作入力項目と禁則関係にある一の操作入力項目の、該移動の方向に直交する方向に、設定済みの操作入力項目と禁則関係にない操作入力項目がある場合は、該一の操作入力項目を表示されない操作入力項目として請求項１の制御を行わずに該移動を行う。これにより、設定済みの操作入力項目と禁則関係にある操作入力項目の表示時間を短くするために、設定済みの操作入力項目と禁則関係にない操作入力項目が表示されない、といった事態が回避される。
【００２１】
［４］予め並び順が規定されている複数の操作入力項目の一部を表示する表示部と、
前記一部の位置を、前記並び順の方向に従って移動させる移動指示操作および、前記操作入力項目に対する設定操作を受け付ける操作部と、
前記操作部で前記移動指示操作を受けた場合に、前記設定操作を受けて設定済みの操作入力項目と禁則関係にある操作入力項目の表示時間が、他の操作入力項目の表示時間よりも短くなるように前記移動を行わせる制御部と、
ユーザの視線を検出する検出部と、
を備え、
前記制御部は、前記操作入力項目をスクロールさせることで前記移動を行わせ、前記設定済みの操作入力項目と禁則関係にある操作入力項目を、他の操作入力項目をスクロールさせる第１速度より速い第２速度でスクロールさせることで前記表示時間を短くし、前記スクロール中に、前記表示部に対するユーザの視線が検出されない場合は、前記設定済みの操作入力項目と禁則関係にある操作入力項目を、前記第２速度よりも速い第３速度でスクロールさせる
ことを特徴とする操作表示装置。
【００２２】
上記発明は、設定済みの操作入力項目と禁則関係にある操作入力項目を、他の操作入力項目よりも速い速度でスクロールさせることで、設定済みの操作入力項目と禁則関係にある操作入力項目が表示画面を通過するのに要する時間を通常より短くする。また、表示位置をスクロールさせる際に、表示部に対するユーザの視線が検出されない場合は、設定済みの操作入力項目と禁則関係にある操作入力項目を、第２速度よりも速い第３速度でスクロールさせる。これによりユーザが表示部を見ていない場合は、設定済みの操作入力項目と禁則関係の操作入力項目の表示時間をさらに短くする。
【００２５】
［５］［１］乃至［４］のいずれか１つに記載の操作表示装置と、
前記操作表示装置で受けた設定で画像処理を行う画像処理部と、
を備える
ことを特徴とする画像処理装置。
【００２６】
［６］表示部と操作部を備える情報処理装置を、［１］乃至［４］のいずれか１つに記載の操作表示装置として機能させるプログラム。
【００２７】
［７］表示部と操作部と画像処理部を備える情報処理装置を、［５］に記載の画像処理装置として機能させるプログラム。
【００２８】
［８］予め並び順が規定されている複数の操作入力項目うち、表示部に表示する一部の位置を、前記並び順の方向に従って移動させる移動指示操作および、前記操作入力項目に対する設定操作を操作部で受け付ける操作ステップと、
前記操作ステップで前記移動指示操作を受けた場合に、前記設定操作を受けて設定済みの操作入力項目と禁則関係にある操作入力項目を表示せず、当該表示されない操作入力項目の位置に、前記移動の方向の下流側にあり且つ前記表示されない操作入力項目に隣接していた操作入力項目を移動して表示させる制御を行う表示ステップと、
を有し、
前記表示ステップでは、
前記設定済みの操作入力項目と禁則関係にある一の操作入力項目に対して前記移動の方向に直交する方向に、前記設定済みの操作入力項目と禁則関係にない操作入力項目がない場合、前記移動の際に前記一の操作入力項目を表示せず、
前記設定済みの操作入力項目と禁則関係にある一の操作入力項目に対して前記移動の方向に直交する方向に、前記設定済みの操作入力項目と禁則関係にない操作入力項目がある場合、前記移動の際に前記一の操作入力項目を表示する
ことを特徴とする操作表示方法。
【００３０】
［９］前記表示ステップでは、前記設定済みの操作入力項目と禁則関係にある操作入力項目を、スキップ、または周囲の表示領域ごと削除することで、表示しない
ことを特徴とする［８］に記載の操作表示方法。
【００３１】
［１０］前記複数の操作入力項目は、前記移動の方向に沿った列が前記移動の方向に直交する方向に複数並ぶように配列されており、
前記表示ステップでは、前記設定済みの操作入力項目と禁則関係にある一の操作入力項目に対して前記移動の方向に直交する方向に、前記設定済みの操作入力項目と禁則関係にある操作入力項目のみがある場合に、前記移動の際に前記一の操作入力項目を前記表示されない操作入力項目として前記制御を行う
ことを特徴とする［８］または［９］に記載の操作表示方法。
【００３３】
［１１］予め並び順が規定されている複数の操作入力項目うち、表示部に表示する一部の位置を、前記並び順の方向に従って移動させる移動指示操作および、前記操作入力項目に対する設定操作を操作部で受け付ける操作ステップと、
前記操作ステップで前記移動指示操作を受けた場合に、前記設定操作を受けて設定済みの操作入力項目と禁則関係にある操作入力項目の表示時間が、他の操作入力項目の表示時間よりも短くなるように前記一部を前記表示部に表示する表示ステップと、
ユーザの視線を検出するステップと、
を有し、
前記表示ステップでは、前記操作入力項目をスクロールさせることで前記移動を行わせ、前記設定済みの操作入力項目と禁則関係にある操作入力項目を、他の操作入力項目をスクロールさせる第１速度より速い第２速度でスクロールさせることで前記表示時間を短くし、前記スクロール中に、前記表示部に対するユーザの視線が検出されない場合は、前記設定済みの操作入力項目と禁則関係にある操作入力項目を、前記第２速度よりも速い第３速度でスクロールさせる
ことを特徴とする操作表示方法。
【発明の効果】
【００３５】
本発明に係る操作表示装置、画像処理装置、およびそのプログラム、操作表示方法によれば、目的の操作入力項目を探すユーザの負担を軽減することができる。
【図面の簡単な説明】
【００３６】
【図１】本発明の実施の形態に係る画像形成装置と、携帯端末を示す説明図である。
【図２】本発明の実施の形態に係る画像形成装置の概略構成を示すブロック図である。
【図３】本発明の実施の形態に係る携帯端末の概略構成を示すブロック図である。
【図４】縦方向に画面をスクロールさせる場合の画面構成を示す図である。
【図５】横方向に画面をスクロールさせる場合の画面構成を示す図である。
【図６】操作入力項目Ｑと禁則関係となる操作入力項目を示す図である。
【図７】操作入力項目Ｑを設定した場合に、表示を省略する操作入力項目を示す図である。
【図８】操作入力項目Ｑを設定した場合に、表示が省略される様子を示す図である。
【図９】操作入力項目Ｒと禁則関係となる操作入力項目を示す図である。
【図１０】操作入力項目Ｒを設定した場合に、表示を省略する操作入力項目の列を示す図である。
【図１１】操作入力項目Ｒを設定した場合に、表示が省略される様子を示す図である。
【図１２】第２の実施の形態において、設定したら禁則設定が発生する操作入力項目のスクロール速度を高速化する様子を示す図である。
【図１３】第１、第２の実施の形態に対応する画像形成装置にて、設定操作を受けた場合に行う処理を示す流れ図である。
【図１４】図１３の処理の続きであり、スクロール指示を受けた場合に行う処理を示す流れ図である。
【図１５】第３の実施の形態において、設定したら禁則設定が発生する操作入力項目のみで構成される画面を飛ばして遷移する様子を示す図である。
【発明を実施するための形態】
【００３７】
以下、図面に基づき本発明の実施の形態を説明する。
【００３８】
＜第１の実施の形態＞
図１は、本発明の実施の形態に係る印刷システム５を示す。印刷システム５は、本発明の画像処理装置としての機能を備えた画像形成装置１０と、本発明の操作表示装置としての機能を備えた携帯端末４０がＬＡＮ(Local Area Network)３で接続されて構成されている。
【００３９】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブ（印刷ジョブ）などのジョブを実行する機能を備えた、所謂、複合機である。画像形成装置１０は、表示部３１と操作部３２を含む操作パネル３０を備え、この操作パネル３０を通じて、ユーザから各種の設定やジョブの投入に係る設定操作を受け付ける（図２参照）。
【００４０】
携帯端末４０は、持ち歩きが可能な端末であり、表示部５１と操作部５２を含む操作表示部５０を備えている（図３参照）。携帯端末４０は、ユーザから印刷ジョブの作成に係る設定操作を受け付ける。携帯端末４０は印刷ジョブを作成したら、画像形成装置１０に送信する。
【００４１】
携帯端末４０、操作パネル３０は、ユーザから各種の設定操作を受ける際に、当該設定操作の対象となる操作入力項目（操作入力項目の釦）を表示する。ただし、設定操作の対象となる操作入力項目は複数あり、全ての操作入力項目をユーザが視認できる大きさで一度に表示部（３１、５１）に表示することは難しい。そこで、携帯端末４０、操作パネル３０は、複数の操作入力項目の一部を表示し、その一部の位置を移動させることで、各操作入力項目を表示するとともに、表示中の操作入力項目への設定操作を受け付ける。
【００４２】
なお、複数の操作入力項目は、予め並び順が規定されており、前述の一部の位置を移動させる方法としては、表示部（３１、５１）に収まりきらない操作入力項目等を上下又は左右にスライドさせて表示させる、いわゆる、スクロール表示が採用されている。たとえば、携帯端末４０、操作パネル３０は、横方向に長い帯状の画面に、複数の操作入力項目を配置して、当該画面の一部を表示する。そして、その一部の位置を左右に移動させることで、各操作入力項目を表示するとともに、表示中の操作入力項目への設定操作を受け付ける（図５参照）。
【００４３】
複数の操作入力項目の中には、組み合わせて設定することが禁止されている操作入力項目、すなわち、禁則関係にある操作入力項目がある。禁則関係とは、個々の機能は実行できるが、組み合わせると実行不可能となる機能の組み合わせのことである。なお、禁則関係にある操作入力項目を組み合わせた設定を禁則設定と呼ぶ。たとえば、禁則関係にある操作入力項目Ａと操作入力項目Ｂを組み合わせて設定すると禁則設定が発生する。携帯端末４０、操作パネル３０は、禁則設定が発生した場合、設定操作を中断する。
【００４４】
本発明の実施の形態では、携帯端末４０と画像形成装置１０は、ユーザから設定操作を受けて設定済みの操作入力項目と禁則関係にある操作入力項目については、他の操作入力項目よりもスクロール表示において表示時間を短くする。
【００４５】
第１の実施の形態では、ユーザから設定操作を受けた設定済みの操作入力項目と禁則関係にある操作入力項目をスキップ、または周囲の表示領域ごと削除する。すなわち、スクロール表示を行う場合に、設定済みの操作入力項目と禁則関係にある操作入力項目の表示を飛ばし、他の項目のみを表示する。これにより、スクロール表示において、設定済みの操作入力項目と禁則関係にある操作入力項目よりも後に表示される操作入力項目が表示されるまでにかかる時間を短くすることができる。
【００４６】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、画像読取部１７と、プリンタ部１８と、ファクシミリ通信部１９と、ネットワーク通信部２０と、視線検出部２１と、ＡＤＦ（Auto Document Feeder）２２と、認証部２３と、操作パネル３０とを備えている。
【００４７】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００４８】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００４９】
ＲＡＭ１３は、ＣＰＵ１１がプログラムに基づいて処理を実行する際に各種のデータを一時的に格納するワークメモリや画像データを格納する画像メモリなどとして使用される。
【００５０】
不揮発メモリ１４は、電源をオフにしても記憶内容が破壊されないメモリ（フラッシュメモリ）であり、各種設定情報の保存などに使用される。
【００５１】
ハードディスク装置１５は、大容量の不揮発の記憶装置であり、ＯＳプログラムや各種アプリケーションプログラム、ユーザ情報、印刷データや画像データ、ジョブ履歴などが記憶部３５に保存される。本発明の実施の形態では、記憶部３５には、禁則設定が発生する操作入力項目の組み合わせ表である禁則表が保存されている。
【００５２】
また、本発明の実施の形態では、ハードディスク装置１５に、各操作入力項目がスクロールにおいて表示部３１を通過する際の速度が登録されている管理テーブル３６が保存されている。
【００５３】
画像処理部１６は、画像の拡大縮小、回転などの処理のほか、印刷データをイメージデータに変換するラスタライズ処理、画像データの圧縮、伸張処理などを行う。
【００５４】
画像読取部１７は、原稿を光学的に読み取って画像データを取得する機能を果たす。画像読取部１７は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５５】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５６】
ファクシミリ通信部１９は、ファクシミリ機能を備えた外部装置と公衆回線を通じて画像データを送受信する機能を果たす。
【００５７】
ネットワーク通信部２０は、ＬＡＮなどのネットワークを通じて携帯端末４０や、その他の外部装置との間でデータを通信する機能を果たす。ネットワーク通信部２０は、連携パネルモード時には、操作パネル３０に表示されている画面と連携する画面の表示データを携帯端末４０に送信する。
【００５８】
視線検出部２１は、操作パネル３０を操作中のユーザの視線を検出する。視線の検出方法は、任意でよい。たとえば、操作パネル３０の上縁中央に検出用カメラを設け、この検出用カメラが撮影した映像を解析し、顔の向きや目の中の瞳の位置等からユーザの視線を検出する。画像形成装置１０は、視線検出部２１でユーザの視線を検出することにより、当該ユーザが、操作パネル３０上の表示部３１を見ているか否かを認識する。
【００５９】
ＡＤＦ２２は、画像を読み取る際に、複数枚の原稿を連続して画像読取部１７の原稿台に送る自動給紙装置としての機能を果たす。一度に３０枚程度の原稿をセットすることが可能で、原稿を読み取るごとに原稿台にセットし直す手間を省略することができる。
【００６０】
認証部２３は、ユーザ認証を行う機能を果たす。具体的には、ユーザのログイン時にユーザ認証を行い、ログインユーザを特定する。本実施の形態では、画像形成装置１０を利用するにはログインを必要とし、利用前にユーザ認証が必ず行われるものとする。なお、ユーザ認証の方法は、ユーザＩＤ（Identification）とパスワードによる認証や指紋認証等、適当な方法であればよい。
【００６１】
操作パネル３０は、表示部３１と、操作部３２とを備えている。操作部３２は、スタートボタンや戻る釦などのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００６２】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。
【００６３】
図３は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、視線検出部４７と、認証部４８と、操作表示部５０とを備えている。
【００６４】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００６５】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムが格納されている。
【００６６】
ＲＡＭ４３は、ＣＰＵ４１がプログラムに基づいて処理を実行する際に各種のデータを一時的に格納するワークメモリなどとして使用される。
【００６７】
不揮発メモリ４４は、電源をオフにしても記憶内容が破壊されないメモリ（フラッシュメモリ）であり、各種設定情報の保存などに使用される。
【００６８】
ハードディスク装置４５は、大容量の不揮発の記憶装置であり、ＯＳプログラムや各種アプリケーションプログラムなどが記憶部５５に保存される。本発明の実施の形態では、記憶部５５には、禁則関係にある操作入力項目の組み合わせ表である禁則表が保存されている。
【００６９】
また、本発明の実施の形態では、ハードディスク装置４５に、各操作入力項目がスクロールにおいて表示部３１を通過する際の速度が登録されている管理テーブル５６が保存されている。
【００７０】
ネットワーク通信部４６は、ＬＡＮ３などのネットワークを通じて画像形成装置１０やその他の外部装置との間でデータを通信する機能を果たす。
【００７１】
視線検出部４７は、操作表示部５０を操作中のユーザの視線を検出する。視線の検出方法は、任意でよい。たとえば、操作表示部５０の上縁中央に検出用カメラを設け、この検出用カメラが撮影した映像を解析し、顔の向きや目の中の瞳の位置等からユーザの視線を検出する。携帯端末４０は、視線検出部４７でユーザの視線を検出することにより、当該ユーザが、操作表示部５０上の表示部５１を見ているか否かを認識する。
【００７２】
認証部４８は、ユーザ認証を行う機能を果たす。具体的には、ユーザのログイン時にユーザ認証を行い、ログインユーザを特定する。本実施の形態では、携帯端末４０を利用するにはログインを必要とし、利用前にユーザ認証が必ず行われるものとする。なお、ユーザ認証の方法は、ユーザＩＤとパスワードによる認証や指紋認証等、適当な方法であればよい。
【００７３】
操作表示部５０は、表示部５１と、操作部５２とを備えている。操作部５２は、スタートボタンや戻る釦などのスイッチ部５３とタッチパネル部５４とを備えている。表示部５１は、液晶ディスプレイなどで構成され、各種の操作画面、設定画面などを表示する機能を果たす。
【００７４】
タッチパネル部５４は、表示部５１上に設けられている。タッチパネル部５４は、タッチペンや指などで押下された表示部５１上のタッチ位置（座標位置）を検出する。ＣＰＵ４１は、継続的に検出されるタッチ位置の変化から、フリック操作やドラッグ操作、マルチタッチ操作などを認識する。
【００７５】
なお、携帯端末４０と画像形成装置１０は、ユーザから印刷に係る設定操作を受け付ける際には、基本的に同様の表示制御を行う。本発明の実施の形態では、画像形成装置１０を例に挙げて、印刷に係る設定操作を受ける場合の表示制御について説明する。
【００７６】
図４、図５は、画像形成装置１０が、印刷に係る設定操作を受ける際に表示する複数の操作入力項目を示す。画像形成装置１０は、帯状の画面に操作入力項目を配置し、その帯状の画面の一部を表示する。図４は縦方向に長い帯状の画面に操作入力項目を配置した場合の例を、図５は横方向に長い帯状の画面に操作入力項目を配置した場合の例を示す。
【００７７】
図４では、画像形成装置１０は、縦方向に長い帯状の画面である全体画面８１に、操作入力項目を縦１２×横４で配置し、その一部（縦２×横４の範囲の操作入力項目）を表示する。各操作入力項目は、設定操作を受け付ける為の操作釦（設定される機能名が記述された）として表示される。図４では全体画面８１を縦方向（上下）にスクロールさせることで、表示される一部の位置を縦方向に移動させる。
【００７８】
図５では、画像形成装置１０は、横方向に長い帯状の画面である全体画面８０に、操作入力項目を縦２×横２４で配置し、その一部（縦２×横４の範囲の操作入力項目）を表示する。各操作入力項目は、設定操作を受け付ける為の操作釦（設定される機能名が記述された）として表示される。図５では全体画面８０を横方向（左右）にスクロールさせることで、表示される一部の位置を横方向に移動させる。
【００７９】
図４、図５のように帯状の画面は、縦方向に長い画面、横方向に長い画面のいずれであってもよいが、以後、横方向に長い全体画面８０を例に挙げて説明する。画像形成装置１０は、全体画面８０を横方向にスクロールさせて各操作入力項目を表示し、設定操作を受け付ける。設定操作を受け付けた後、操作パネル３０上のスタート釦が押下されたら、設定された内容で印刷を開始する。
【００８０】
なお、本発明の実施の形態では、全体画面８０を６つの画面（第１領域〜第６領域、図中では１〜６と表示する）に区切って説明する。
【００８１】
図６は、全体画面８０の第３領域に配置されている操作入力項目Ｑと禁則関係にある操作入力項目を示す。各図では、操作入力項目Ｑと禁則関係にある操作入力項目をグレー表示で示してある。図６では、第４領域、第５領域に配置されている操作入力項目が全て操作入力項目Ｑと禁則関係にある操作入力項目となっている。画像形成装置１０は、操作入力項目Ｑが設定された場合、第４領域、第５領域に配置されている操作入力項目をスキップ、または周囲の表示領域ごと削除する。
【００８２】
図７は、操作入力項目Ｑが設定された場合に、全体画面８０においてスキップ、または周囲の表示領域ごと削除される部分をグレー表示で示す。図７では、第４領域と第５領域がスキップ、または周囲の表示領域ごと削除される部分となっている。
【００８３】
図８は、操作入力項目Ｑと禁則関係にある操作入力項目をスキップ、または周囲の表示領域ごと削除した場合に全体画面８０において表示部３１に表示される部分を示す。操作入力項目Ｑと禁則関係にある操作入力項目を含む第４領域、第５領域はスキップ、または一時的に削除されて、第１〜３領域、第６領域のみが表示される。全体画面８０を右方向にスクロールさせると、第３領域の次に第６領域が表示される。
【００８４】
操作入力項目Ｑが設定されている場合、操作入力項目Ｑと禁則関係にある操作入力項目は操作を受ける必要がないので、表示しても無駄である。よって、操作入力項目Ｑと禁則関係にある操作入力項目をスキップ、または周囲表示領域ごと削除することで、スクロール時に操作入力項目Ｑと禁則関係にある操作入力項目よりも後ろの操作入力項目が表示されるまでにかかる時間を短縮することができる。
【００８５】
なお、図８では全体画面８０において、スキップ、または周囲の表示領域ごと削除した操作入力項目（第４領域、第５領域に配置された操作入力項目）の箇所に復元釦６０を表示してある。画像形成装置１０は、復元釦６０に対する操作を受けたら、スキップ、もしくは一時的に削除していた操作入力項目（第４領域、第５領域）を復活させて表示する。
【００８６】
なお、設定されている操作入力項目と禁則関係にある操作入力項目に対してスキップを行うか、周囲の表示領域ごと削除するかは、予めユーザによって設定されているものとする。
【００８７】
図６〜図８では、操作入力項目Ｑと禁則関係にある操作入力項目に対してスクロール方向に直交する方向（以後、縦列とする）に操作入力項目Ｑと禁則関係にない操作入力項目が存在していなかったが、図９〜図１１では、操作入力項目Ｑと禁則関係にある操作入力項目に対してスクロール方向に直交する方向に、操作入力項目Ｑと禁則関係にない操作入力項目が存在する場合について説明する。なお、図９〜１１では、スキップを行うよう設定されているものとして説明する。
【００８８】
図９は、第３領域に配置されている操作入力項目Ｒと禁則関係にある操作入力項目を示す。図中、操作入力項目Ｒと禁則関係にある操作入力項目をグレー表示で示してある。図９では、第４領域に配置されている操作入力項目Ｚ、ａ、ｂ、ｅ、ｆと第５領域に配置されている操作入力項目ｇが、操作入力項目Ｒと禁則関係にある。
【００８９】
操作入力項目ａ、ｅは同じ縦列に配置されている。操作入力項目ｂ、ｆは同じ縦列に配置されている。
【００９０】
操作入力項目Ｚが配置されている縦列には、操作入力項目Ｒと禁則関係にない操作入力項目ｄも配置されている。操作入力項目ｇが配置されている縦列には、操作入力項目Ｒと禁則関係にない操作入力項目ｋも配置されている。
【００９１】
画像形成装置１０は、既に設定済みの操作入力項目と禁則関係にある操作入力項目と、既に設定済みの操作入力項目と禁則関係にない操作入力項目とが同じ縦列に混在している場合は、その縦列に配置されている操作入力項目の表示をスキップしない。すなわち、その縦列全体をスキップの対象から外す。
【００９２】
図１０は、操作入力項目Ｒが設定された場合に、操作入力項目Ｒと禁則関係にある操作入力項目のうちスキップする操作入力項目と、スキップしない操作入力項目を区別して示す。図中、操作入力項目Ｒと禁則関係にある操作入力項目をグレー表示で示してある。
【００９３】
操作入力項目ａ、ｅを含む縦列と操作入力項目ｂ、ｆを含む縦列（図中の太い実線の楕円で囲った部分）は、操作入力項目Ｒと禁則関係にある操作入力項目のみで構成されているので、表示をスキップする。
【００９４】
操作入力項目Ｚ、ｄを含む縦列と、操作入力項目ｇ、ｋを含む縦列（図中の太い点線の楕円で囲った部分）は、操作入力項目Ｒと禁則関係にある操作入力項目と、禁則関係にない操作入力項目が混在しているので、表示をスキップしない。
【００９５】
図１１は、操作入力項目Ｒと禁則関係にある操作入力項目のみで構成される縦列の表示をスキップした場合に、全体画面８０において表示部３１に表示される部分を示す。
【００９６】
操作入力項目ａ、ｅを含む列と操作入力項目ｂ、ｆを含む縦列（背景の領域ごと）はスキップされる。全体画面８０を右方向にスクロールさせると、操作入力項目Ｚ、ｄを含む縦列の次に、操作入力項目ｇ、ｋを含む縦列が表示され、操作入力項目ａ、ｅを含む列と操作入力項目ｂ、ｆを含む縦列はスキップされる。
【００９７】
操作入力項目Ｒが設定されている場合、操作入力項目Ｒと禁則関係にある操作入力項目は操作を受ける必要がないので、表示しても無駄である。よって、操作入力項目Ｒと禁則関係にある操作入力項目の表示をスキップすることで、スクロール時に操作入力項目Ｒと禁則関係にある操作入力項目よりも後ろの操作入力項目が表示されるまでにかかる時間を短縮することができる。ただし、操作入力項目Ｒと禁則関係にある操作入力項目と同じ縦列に、禁則関係にない操作入力項目が混在している場合、その禁則関係にない操作入力項目は表示する必要があるので、その縦列の表示はスキップしない。
【００９８】
なお、図１１では全体画面８０において、表示をスキップした縦列（操作入力項目Ｚ、ｄを含む縦列と、操作入力項目ｇ、ｋを含む縦列）の箇所に復元釦６０を表示してある。画像形成装置１０は、復元釦６０に対する操作を受けたら、スキップしていた縦列（操作入力項目Ｚ、ｄを含む縦列と、操作入力項目ｇ、ｋを含む縦列）を復活させて表示する。
【００９９】
このように、第１の実施の形態では、画像形成装置１０は、設定済みの操作入力項目と禁則関係にある操作入力項目をスキップ、または周囲の表示領域ごと削除する。よって、スクロール表示において、禁則関係にない操作入力項目より後ろの操作入力項目が表示されるまでにかかる時間を短縮することができる。
【０１００】
＜第２の実施の形態＞
第１の実施の形態では、スクロール表示において、設定済みの操作入力項目と禁則関係にある操作入力項目をスキップ、または周囲の表示領域ごと削除していたが、第２の実施の形態では、スクロール表示において、設定済みの操作入力項目と禁則関係にある操作入力項目は、禁則関係にない操作入力項目よりも速い速度で表示部３１を通過させる。
【０１０１】
なお、第２の実施の形態においても画像形成装置１０、携帯端末４０のハード構成は第１の実施の形態と同じである。また、第２の実施の形態では、第１の実施の形態との相違点を説明し、同一部分の説明は適宜省略する。
【０１０２】
図１２は、全体画面８０の操作入力項目Ｑが設定済みの状態で右方向へのスクロールを実行する場合に、各操作入力項目が表示部３１を通過する際の速度を示す。
【０１０３】
図１２では、図６〜８の場合と同じく、第４領域、第５領域の操作入力項目は全て操作入力項目Ｑと禁則関係にある操作入力項目となっている。よって、スクロールを行う場合には、第４領域、第５領域の操作入力項目は他の操作入力項目よりも高速に表示部３１を通過させる。
【０１０４】
図中では、第４領域、第５領域以外の操作入力項目は第１速度で表示部３１を通過させ、第４領域、第５領域の操作入力項目は第１速度より速い第２速度で表示部３１を通過させる。これにより、操作入力項目Ｑと禁則関係にある操作入力項目の表示時間を短縮する。
【０１０５】
操作入力項目Ｑが設定されている場合、操作入力項目Ｑと禁則関係にある操作入力項目は操作を受ける必要がないので、表示しても無駄である。よって、操作入力項目Ｑと禁則関係にある操作入力項目が表示部３１を通過する速度を高速化し、表示時間を短縮することで、スクロール時に操作入力項目Ｑと禁則関係にある操作入力項目よりも後ろの操作入力項目が表示されるまでにかかる時間を短縮することができる。
【０１０６】
なお、スクロール表示中は、スクロール指示を行ったユーザの視線を視線検出部２１が検出する。画像形成装置１０は、表示部３１に対するユーザの視線が検出されない場合、すなわち、ユーザが操作パネル３０を見ていないと認識した場合は、設定済みの操作入力項目と禁則関係にある操作入力項目（図１２では、第４領域、第５領域の操作入力項目）を、第２速度よりも速い第３速度で表示部３１を通過させる。これにより、既に設定された操作入力項目と禁則関係にある操作入力項目の表示時間をより短縮することができる。
【０１０７】
なお、画像形成装置１０は、設定済みの操作入力項目と禁則関係にある操作入力項目と同じ縦列に、禁則関係にない操作入力項目が混在している場合は、その縦列は速度を高めずに第１速度で表示部３１を通過させる。
【０１０８】
図１３、図１４は、画像形成装置１０が、設定操作を受けた後にスクロール表示を実行する処理のフローチャートを示す。
【０１０９】
なお、画像形成装置１０は、スクロール表示する場合の表示モードとして、第１表示モードと第２表示モードを備えている。第１表示モードは、設定済みの操作入力項目と禁則関係にある操作入力項目を周囲の表示領域ごと削除する表示モードである。第２の表示モードは、設定済みの操作入力項目と禁則関係にある操作入力項目を、スクロールにおいて他の操作入力項目よりも高速に表示部３１を通過させる表示モードである。
【０１１０】
図１３、１４の説明では、第１表示モードと第２表示モードのいずれの表示モードで表示制御を行うかが、予めユーザから選択操作を受けて、設定されているものとする。
【０１１１】
図１３は、設定操作を受ける際に行う処理を示す。画像形成装置１０は、ユーザから設定操作を受け付けるのを待ち（図１３、ステップＳ００１；Ｎｏ）、設定操作を受け付けたら（ステップＳ００１；Ｙｅｓ）、ハードディスク装置１５に格納されている禁則表を参照し（ステップＳ００２）、設定済みの操作入力項目と禁則関係にある操作入力項目を禁則表で確認する（ステップＳ００３）。
【０１１２】
設定操作の対象となった操作入力項目と禁則関係にある操作入力項目が存在しない場合は（ステップＳ００４；Ｎｏ）、当該設定操作に応じた処理を実行し（ステップＳ０２３）、処理を終了する。
【０１１３】
設定済みの操作入力項目と禁則関係にある操作入力項目が存在する場合は（ステップＳ００４；Ｙｅｓ）、第１の表示モードと第２の表示モードのいずれが設定されているかを調べる（ステップＳ００５）。
【０１１４】
第２の表示モードが設定されている場合は（ステップＳ００６；Ｎｏ）、ハードディスク装置１５に格納されている、各操作入力項目がスクロールにおいて表示部３１を通過する際の速度が登録されている管理テーブル３６を読み出す。管理テーブル３６には、各操作入力項目が表示部３１を通過する際の速度の初期値として第１速度が登録されている。その後、設定済みの操作入力項目と禁則関係にある操作入力項目が表示部３１を通過する際の速度を、第１速度から第２速度に更新し（ステップＳ０１０）、図１４のステップＳ０１１に進む。
【０１１５】
第１の表示モードが設定されている場合は（ステップＳ００６；Ｙｅｓ）、設定済みの操作入力項目と禁則関係にある操作入力項目が表示されないように該操作入力項目を周囲の表示領域ごと全体画面８０から一時的に削除し（ステップＳ００７）、復元釦を追加する（ステップＳ００８）。その後、ステップＳ００７、ステップＳ００８によって再編成された全体画面８０の一部の該当箇所を表示部３１に表示し（ステップＳ００９）、図１４のステップＳ０１１に進む。
【０１１６】
図１４は、スクロール指示を受けてから行う処理を示す。画像形成装置１０は操作パネル３０にてスクロール指示を受けなければ（ステップＳ０１１；Ｎｏ）、ステップＳ０２２に進む。
【０１１７】
画像形成装置１０は、操作パネル３０にてユーザからスクロール指示を受けたら（ステップＳ０１１；Ｙｅｓ）、管理テーブル３６を参照し（ステップＳ０１２）、次に表示部３１を通過させる操作入力項目に対応づけて登録されている速度を確認する。
【０１１８】
次に表示部３１を通過させる操作入力項目の、管理テーブル３６に登録されている速度が第２速度であれば（ステップＳ０１３；Ｙｅｓ）、操作パネル３０にてスクロール指示を行ったユーザの視線を検出する（ステップＳ０１４）。
【０１１９】
ユーザの視線が操作パネル３０に向けられている場合は（ステップＳ０１５；Ｙｅｓ）、次に表示部３１を通過させる操作入力項目の通過速度が第２速度となるように（ステップＳ０１６）、管理テーブル３６を書き換えて（更新して）（ステップＳ０１８）、ステップＳ０１９に進む。
【０１２０】
ユーザの視線が操作パネル３０に向けられていない場合は（ステップＳ０１５；Ｎｏ）、次に表示部３１を通過させる操作入力項目の通過速度が第３速度となるように（ステップＳ０１７）、管理テーブル３６を書き換えて（更新して）（ステップＳ０１８）、ステップＳ０１９に進む。
【０１２１】
ステップＳ０１９にて管理テーブル３６を参照し、対象の操作入力項目を、管理テーブル３６に登録されている速度で通過させる（ステップＳ０２０）。
【０１２２】
なお、次に表示部３１を通過させる操作入力項目が含まれる縦列に、設定済みの操作入力項目と禁則関係にない操作入力項目が混在する場合は、第１速度で該縦列を通過させる。
【０１２３】
スクロールが完了するまでは（ステップＳ０２１；Ｎｏ）、ステップＳ０１３に戻って処理を継続する。
【０１２４】
スクロールが完了したら（ステップＳ０２１；Ｙｅｓ）、図１３のステップＳ００１にて設定された操作入力項目の設定が解除されるまでは（ステップＳ０２２；Ｎｏ）、ステップＳ０１１に戻って処理を継続する。図１３のステップＳ００１にて設定された操作入力項目の設定が解除されたら（ステップＳ０２２；Ｙｅｓ）、本処理を終了する。
【０１２５】
なお、本処理が終了する際には、全ての操作入力項目について、表示部３１を通過する際の速度が第１速度となるように管理テーブル３６をリセット（更新）する。
【０１２６】
また、本処理中に、たとえばステップＳ０１１や、ステップＳ０２１にて、新たな設定操作を受けつけた場合は、ステップＳ００２に戻って処理を継続する。
【０１２７】
このように、画像形成装置１０は、ユーザから設定操作を受けた設定済みの操作入力項目と禁則関係にある操作入力項目については、スキップ、または周囲の表示領域ごと削除したり、スクロールにて他の操作入力項目よりも高速に表示部３１を通過させたりすることで、表示時間を短くする。これにより、設定済みの操作入力項目と禁則関係にある操作入力項目より後の操作入力項目が表示されるまでにかかる時間が短縮される。
【０１２８】
＜第３の実施の形態＞
第１、第２の実施の形態では、スクロール表示によって全体画面８０に配置した複数の操作入力項目を表示して設定操作を受け付けたが、第３の実施の形態では、操作入力項目が配置された複数の画面は、ツリー構造で繋げられた階層型メニューを構成しており、該階層型メニューを辿って、印刷に係る設定操作を受け付けるようになっている。
【０１２９】
なお、第３の実施の形態においても画像形成装置１０、携帯端末４０のハード構成は第１、第２の実施の形態と同じである。また、第３の実施の形態では、第１、第２の実施の形態との相違点を説明し、同一部分の説明は適宜省略する。
【０１３０】
図１５は、第３の実施の形態において、画像形成装置１０が表示する階層型メニューの複数の画面を示している。図１５は、画像形成装置１０は、最上位の階層である第１階層の画面にて設定操作を受けた場合、その設定操作の対象となった操作入力項目に対応する１つ下の階層（第２階層）の画面に遷移する。また、第２階層の画面にて設定操作を受けた場合、その設定操作の対象となった操作入力項目に対応する１つ下の階層（第３階層）の画面に遷移する。
【０１３１】
図１５には、第１階層の画面として第１画面が、第１画面から遷移する第２階層の画面として第２画面Ａ、第２画面Ｂ、第２画面Ｃが、第２画面Ａから遷移する第３階層の画面として第３画面Ａ、第３画面Ｂが表示されている。図１５では、第１画面から第３画面Ａに向かうためには、必ず第２画面Ａを経由する必要があるので、第３画面Ａに到達した際には第１画面、第２画面Ａ、第３画面Ａという並び順が規定されていることになる。
【０１３２】
画像形成装置１０は、ユーザからスイッチ部３３の戻る釦が押下された場合、表示部３１に表示する画面を、直前の遷移前の画面に戻す。たとえば、第３画面Ａを表示中に、戻る釦が押下されたら、当該第３画面Ａに遷移する前に表示されていた第２画面Ａに戻る。第２画面Ａを表示中に、戻る釦が押下されたら、当該第２画面Ａに遷移する前に表示されていた第１階層の画面に戻る。画像形成装置１０は、たとえば、第３画面Ａに到達した際には、規定された第１画面、第２画面Ａ、第３画面Ａという並び順を遡るようにして画面を戻す。
【０１３３】
第３の実施の形態では、ある画面から所定の画面まで、順番に画面を遷移していく際に、配置されている全ての操作入力項目が、設定済みの操作入力項目と禁則関係にある操作入力項目となっている画面がある場合、遷移においてその画面を飛ばす。これにより、配置されている全ての操作入力項目が、設定済みの操作入力項目と禁則関係にある操作入力項目となっている画面の表示時間を短縮することができ、当該画面の後の画面が表示されるまでにかかる時間を短縮することができる。
【０１３４】
図１５では、第３画面上の操作入力項目Ｑが設定されている。第２画面Ａ上の操作入力項目は、全て操作入力項目Ｑと禁則関係にある操作入力項目である。操作入力項目Ｑが設定されている状態で、第３画面Ａを表示中に戻る釦が押下されたら、第２画面Ａを飛ばして第１画面まで戻る。
【０１３５】
操作入力項目Ｑが設定されている場合、操作入力項目Ｑと禁則関係にある操作入力項目は操作を受ける必要がないので、配置されている全ての操作入力項目が、操作入力項目Ｑと禁則関係にある操作入力項目である画面は表示しても無駄である。よって、遷移においてその画面を飛ばすことで、遷移時にその画面よりも後ろの画面が表示されるまでにかかる時間を短縮することができる。
【０１３６】
なお、同一画面内に、設定済みの操作入力項目と禁則関係にある操作入力項目と、禁則関係にない操作入力項目が混在する場合は、遷移においてその画面を飛ばさない。
【０１３７】
このように、第３の実施の形態では、画像形成装置１０は、配置されている全ての操作入力項目が、設定済みの操作入力項目と禁則関係にある操作入力項目である画面を介して画面の遷移を行う場合は、その画面を飛ばして遷移する。これにより、配置されている全ての操作入力項目が、設定済みの操作入力項目と禁則関係にある操作入力項目である画面の表示時間を短縮することができ、当該画面の後の画面が表示されるまでにかかる時間を短縮することができる。
【０１３８】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３９】
本発明の実施の形態では画像形成装置１０を画像処理装置の例として説明したが、画像処理装置はこれに限らない。画像形成装置１０から、ＣＰＵ１１と、ＲＯＭ１２と、ＲＡＭ１３と、不揮発メモリ１４と、ネットワーク通信部２０と操作パネル３０を抜き出して単体の、画像処理装置、または操作表示装置として構成されてもよい。また、情報処理装置を該画像処理装置、もしくは該操作表示装置のように機能させるプログラムや、操作表示方法であってもよい。
【０１４０】
本発明の第３の実施の形態では、戻る釦が押下された場合に、禁則関係の操作入力項目のみで構成される画面を飛ばして遷移を行ったが画面を飛ばして遷移を行う場合はこれに限らない。ある第１の画面から、第２の画面を介して第３の画面に遷移することが決定している場合に、当該第２画面を飛ばして第１画面から第３画面に遷移を行えばよい。
【符号の説明】
【０１４１】
３…ＬＡＮ
５…印刷システム
１０…画像形成装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
２１…視線検出部
２２…ＡＤＦ
２３…認証部
３０…操作パネル
３１…表示部
３２…操作部
３３…スイッチ部
３４…タッチパネル部
３５…記憶部
３６…管理テーブル
４０…携帯端末
４１…ＣＰＵ
４２…ＲＯＭ
４３…ＲＡＭ
４４…不揮発メモリ
４５…ハードディスク装置
４６…ネットワーク通信部
４７…視線検出部
４８…認証部
５０…操作表示部
５１…表示部
５２…操作部
５３…スイッチ部
５４…タッチパネル部
５５…記憶部
５６…管理テーブル
６０…復元釦
８０…全体画面
８１…全体画面
Ｑ…操作入力項目
Ｒ…操作入力項目
【図１】
0005945969.tif 000002
【図２】
0005945969.tif 000003
【図３】
0005945969.tif 000004
【図４】
0005945969.tif 000005
【図１３】
0005945969.tif 000006
【図１４】
0005945969.tif 000007
【図５】
0005945969.tif 000008
【図６】
0005945969.tif 000009
【図７】
0005945969.tif 000010
【図８】
0005945969.tif 000011
【図９】
0005945969.tif 000012
【図１０】
0005945969.tif 000013
【図１１】
0005945969.tif 000014
【図１２】
0005945969.tif 000015
【図１５】
0005945969.tif 000016